(57)【要約】【課題】壁面等に取り付けたシャワーフックに保持したシャワーヘッドが、吐水時の反動で浮き上がるのを防止する。【解決手段】フック１の底面部に設けたホース保持部材１０は、弾性を有する素材で製作され、Ｃ型に形成された本体部１１の開口部分１１ａに、間隙寸法ｄがホースの直径より小さく設定され且つ弾性的に拡開可能になされた挟持部１２，１２が設けられる。フック１にヘッドを保持させる際、ホースをスリット５を通じて保持部３内へ挿入するときに、ホース保持部材１０の挟持部１２，１２を弾性的に拡開させながら、ホースを開口部１１ａを通過させて収納空間１３内へ導き入れる。ホースは、挟持部１２，１２によって表面が弾性的に挟持されるので、容易には移動することがない。従って、吐水時の反動でヘッドが浮き上がったり回転したりするのを確実に防止できる。【選択図】      図１
2008144408.tif 000002
【特許請求の範囲】
【請求項１】
ハンドシャワー用のシャワーヘッドにおけるシャワーホースが接続される基端部が挿入される保持部と、該保持部に連通し前記基端部の最大直径より狭く且つシャワーホースの直径より広い開口幅を持つスリットとを備えるシャワーフックにおいて、当該シャワーフック本体の底面部に、シャワーホースの直径より狭い間隙を持ち弾性的に拡開可能な対向する挟持部を有するホース保持部材を設けたことを特徴とするシャワーフック。
【請求項２】
ハンドシャワー用のシャワーヘッドにおけるシャワーホースが接続される基端部が挿入される保持部と、該保持部に連通し前記基端部の最大直径より狭く且つシャワーホースの直径より広い開口幅を持つスリットとを備えるシャワーフックにおいて、当該シャワーフック本体の上面部に、シャワーヘッドが上方へ移動しようとすると前記基端部に当接する上昇防止部材を設けたことを特徴とするシャワーフック。
【発明の詳細な説明】
【技術分野】
【０００１】
本発明は、ハンドシャワー用のシャワーヘッドを壁面等の所定位置に保持するためのシャワーフックに関し、詳しくは、吐水時の反動でシャワーヘッドが浮き上がるのを防止するための手段に関する。なお、以下の説明において、シャワーヘッド・シャワーホース・シャワーフックをそれぞれ単に、ヘッド・ホース・フックと略称する場合もある。
【背景技術】
【０００２】
従来のシャワーフックは、ヘッドにおけるホースが接続される基端部が挿入される保持部を有し、正面側にホースを挿通可能なスリットが形成されたものが広く普及している。特許文献１に、ヘッドの保持状態を安定させるための手段として、フックにおけるヘッド基端部が挿入される保持部の内面に、合成樹脂から成る高摩擦部分を設け、摩擦力でヘッドの浮き上がりを防止することが記載されている。
【特許文献１】特開２００５−２２０５４６号公報
【発明の開示】
【発明が解決しようとする課題】
【０００３】
図５に示すように、フック３０が上下二箇所に設けられている場合、上方のフック３０にヘッドＳを保持したときと、下方のフック３０にヘッドＳを保持したときとで、水栓器具Ｕから延びてヘッドＳに接続されるホースＨの状態が異なる。図示するように、上方のフック３０にヘッドＳを保持したときには、ホースＨのほぼ全重量ＰがヘッドＳに作用するので、ヘッドＳの保持状態は安定する。しかるに、ヘッドＳを下方のフック３０に保持させたとき、フック３０の高さとホースＨの長さによっては、ホースＨの一部が床Ｆ上を這うことがあり、ヘッドＳに作用する下方へ向かう力Ｑが小さいものとなる。このような場合には、特許文献１に開示される技術では、必要な保持力を発揮できず、吐水時の反動でヘッドＳが浮き上がる可能性があった。
【課題を解決するための手段】
【０００４】
本発明が前記従来の課題を解決するために採用したシャワーフックの特徴とするところは、請求項１に記載するとおり、ハンドシャワー用のシャワーヘッドにおけるシャワーホースが接続される基端部が挿入される保持部と、該保持部に連通し前記基端部の最大直径より狭く且つシャワーホースの直径より広い開口幅を持つスリットとを備えるシャワーフックにおいて、当該シャワーフック本体の底面部に、シャワーホースの直径より狭い間隙を持ち弾性的に拡開可能な対向する挟持部を有するホース保持部材を設けたことである。
【０００５】
あるいは請求項２に記載する如く、ハンドシャワー用のシャワーヘッドにおけるシャワーホースが接続される基端部が挿入される保持部と、該保持部に連通し前記基端部の最大直径より狭く且つシャワーホースの直径より広い開口幅を持つスリットとを備えるシャワーフックにおいて、当該シャワーフック本体の上面部に、シャワーヘッドが上方へ移動しようとすると前記基端部に当接する上昇防止部材を設けたことである。
【０００６】
請求項１のホース保持部材及び請求項２の上昇防止部材は、弾性変形が可能で且つ耐水性・耐摩耗性を兼ね備える材質で製作するのが望ましく、例えばＰＯＭ（ポリアセタール樹脂）・軟質ＰＶＣ（ポリ塩化ビニル樹脂）・エラストマー・ゴム等が使用できる。またシャワーフックに設ける手段としては、既存のフックに対し接着剤により貼着する方法、ネジやビスで取り付ける方法、フックとホース保持部材との間に嵌合孔及び係合突起を形成し両者を嵌合させて機械的に接合する方法等が考えられる。上記はフックに対して後付けする手段であるが、フック製造時に、ホース保持部材又は上昇防止部材を一体に構成することも可能である。
【発明の効果】
【０００７】
請求項１に係る本発明フックは、シャワーフック本体の底面部に、シャワーホースの直径より狭い間隙を持ち弾性的に拡開可能な対向する挟持部を有するホース保持部材を設けたので、ヘッドをフックに保持させたときに、ホース保持部材によりホースを弾性的に挟持するから、ホースの重量に基づいてヘッドに作用する下向きの力の大小にかかわらず、吐水時の反動程度では、容易にはヘッドが浮き上がったり回転したりしないように保持することができる。
【０００８】
請求項２に係る本発明フックは、シャワーフック本体の上面部に、シャワーヘッドが上方へ移動しようとすると前記基端部に当接する上昇防止部材を設けたので、吐水時の反動ではヘッドが浮き上がろうとするとヘッド基端部が上昇防止部材に当接し、それ以上の浮き上がりが阻止される。
【発明を実施するための最良の形態】
【０００９】
［第１の実施形態］
図１は、請求項１に係る本発明に対応するものであって、フック１における本体２の底面部に、ホース保持部材１０を設けた例を示すものである。フック１は、従来品と共通でよく、ヘッド基端部が挿入される保持部３と、正面側へ突き出るように形成された一対の腕部４，４と、腕部４，４間に形成されたスリット５を備えている。保持部３の内周面３ａは、ヘッド基端部の形状に合わせて、上側が大径の円錐台状の形態を持つ。スリット５の開口幅Ｄは、ホースの直径よりは大きく、ヘッド基端部の最大直径よりは小さく設定されている。
【００１０】
ホース保持部材１０は、ＰＯＭや軟質ＰＶＣ等のプラスチックや合成ゴム等のエラストマーなどの弾性及び保形性を有する素材で製作される。Ｃ型に形成された本体部１１は、収納空間１３を持ち、その開口部分１１ａに挟持部１２，１２が設けられている。当該挟持部１２，１２は、間隙寸法ｄがホースの直径より小さく設定され、且つ、弾性的に拡開可能になされている。なお、符号１４は所望に応じて設ける起立部であって、挟持部１２，１２の位置が確実にホースを挟持する位置となるように、フック本体２の底面から挟持部１２までの離隔距離を調節するためのものである。
【００１１】
かかる構成の本発明フック１は、ヘッドを保持させる際、ホースをスリット５を通じて保持部３内へ挿入するが、それと同時に、ホース保持部材１０の挟持部１２，１２を弾性的に拡開させながら、ホースを開口部１１ａを通過させて収納空間１３内へ導き入れる。ホースは、挟持部１２，１２によって表面が弾性的に挟持されるので、容易には移動することがない。従って、吐水時の反動でヘッドが浮き上がったり回転したりするのを確実に防止できる。
【００１２】
またホース保持部材１０は後付可能であるから、既存のシャワーフックに対して容易に本発明を実施することができる。
【００１３】
図２は、ホース保持部材１０における挟持部１２の形態に関し、異なる実施形態を例示するものである。これらは、ホースを収納空間１３内へ導入するのを容易にすること及び収納空間１３に位置するホースの長手方向移動を確実に阻止することを目的としている。同図（Ａ）（Ｄ）は、挟持部１２の前端面に複数の転動体（コロ）１５を配設したものである。これら転動体１５は、ほぼ垂直方向の回転軸を持ち、ホースの挿入方向に沿って回転する。従って、ホースを収納空間１３内へ円滑に案内する機能を発揮する。また、ホースの軸方向（長手方向）への移動に対しては、転動体１５の表面が接触することにより、これを阻止する。図（Ｂ）（Ｅ）は、挟持部１２に単一の比較的大型の転動体１６を配設した例である。これによっても、上記とほぼ同様の機能が発揮される。同図（Ｃ）（Ｆ）は、挟持部１２の前端面に、ホース挿入方向に沿って延びる複数の凸条１７を形成したものである。かかる例によっても、凸条１７がホースの収納空間１３内への導入を案内し、ホースの長手方向への移動に対しては抵抗として作用する。
【００１４】
その他、図示は省略するが、挟持部１２だけ、又は、挟持部１２における前端部の一部だけを弾性体で構成したり、前端部の一部をバネ等により弾性的に進退可能な構造とすることも考えられる。
【００１５】
［第２の実施形態］
図３は、請求項２に係る本発明に対応するものであって、フック１の上面部に、ヘッドの上昇防止部材２０を設けた例を示すものである。本例の上昇防止部材２０は、プラスチック又は合成ゴム等から成り、図３（Ａ）に示す如く、保持部３の上面開口におけるスリット５と対向する位置に配設され、保持部３空間に向かってわずかに突出するように設けられる。
【００１６】
上昇防止部材２０は、フック１に対し、接着剤やネジ等を用いて後付けすることが可能なので、既存のシャワーフックに本発明を容易に実施することができる。
【００１７】
上昇防止部材２０が保持部内周面３ａより突出する程度は、シャワーフックやシャワーヘッドの形状・寸法に基づいて決定されるものであり、図３（Ｂ）に示すように、シャワーヘッドＳがその基端部Ｔをシャワーフック１の保持部３に挿入させて正規の位置に納まっているときは、上昇防止部材２０がヘッド基端部Ｔとは接触せず、何らかの原因によりヘッドＳに上昇方向の力Ｒが作用して浮き上がろうとしたときには、ヘッドＳが上昇防止部材２０に必ず当接し、上方への移動が阻止されるように設定される。
【００１８】
なお図４に示すように、上昇防止部材２１をほぼＣ型に制作し、ヘッドが上昇しようとしたときに、ヘッド基端部が当接可能となる範囲を拡大するようにしてもよい。
【００１９】
ところで、本発明にかかるシャワーフックは、単体の部材として制作される以外に、カウンター等の一部に一体に形成される場合も考えられる。
【００２０】
さらに、本発明に係るホース保持部材１０および上昇防止部材２０の両方を、一つのシャワーフックに適用することも妨げない。
【図面の簡単な説明】
【００２１】
【図１】本発明の第１の実施形態に関するものであって、図（Ａ）は正面側から見たシャワーフックの斜視図、図（Ｂ）は、ホース保持部材のみを拡大して示す正面側から見た斜視図である。
【図２】本発明の第１の実施形態に係る異なる態様を示すものであって、図（Ａ）〜（Ｃ）はホース保持部材の要部を示す斜視図、図（Ｄ）〜（Ｆ）は図（Ａ）〜（Ｃ）それぞれに対応する挟持部の側面図である。
【図３】本発明の第２の実施形態に関するものであって、図（Ａ）は正面側から見たシャワーフックの斜視図、図（Ｂ）は、シャワーフックの側面断面図である。
【図４】本発明の第２の実施形態に関する異なる例を示すものであって、図（Ａ）は正面側から見たシャワーフックの斜視図、図（Ｂ）は、シャワーフックの側面断面図である。
【図５】従来の問題点を説明するシャワーヘッド及びシャワーフックを示す正面図である。
【符号の説明】
【００２２】
１…シャワーフック  ２…本体  ３…保持部  ４…腕部  ５…スリット  １０…ホース保持部材  １２…挟持部  ２０，２１…上昇防止部材
【図１】
2008144408.tif 000003
【図２】
2008144408.tif 000004
【図３】
2008144408.tif 000005
【図４】
2008144408.tif 000006
【図５】
2008144408.tif 000007